(57)【特許請求の範囲】
【請求項１】
基板と該基板に対して開閉自在かつ着脱可能に設けられた開閉板とを備えたメダル選別装置であって、
前記開閉板を前記基板に対して回転可能とする支軸および軸受部と、
前記基板あるいは前記開閉板に係合して、前記開閉板を前記基板側に付勢すると共に前記開閉板と前記基板とを連結させる付勢部材と、
前記基板および前記開閉板にそれぞれ形成された、前記支軸を回転支点とする前記開閉板の開動作に伴い互いに接触する接触部と、を備え、
前記軸受部は、前記接触部が互いに接触した状態で前記開閉板がさらに開動作されると、前記支軸から離隔するように構成され、
前記開閉板は、前記開閉板の開動作の量に応じて回転支点が前記支軸から前記接触部の接触箇所へ切り換わり、
前記付勢部材による係合が、前記接触箇所を回転支点とする前記開閉板の開動作が所定角度を超えると解除されることを特徴とするメダル選別装置。
【請求項２】
基板と、該基板に対して開閉自在かつ着脱可能に設けられた開閉板とを備えたメダル選別装置であって、
前記基板に設けられた支軸および前記開閉板に設けられた軸受部と、
前記基板に取り付けられ、前記開閉板に係合して該開閉板を前記基板側に付勢すると共に前記基板に連結させる付勢部材と、
前記基板および開閉板にそれぞれ形成され、前記支軸を回転支点とする前記開閉板の開動作に伴い互いに接触する接触部と、を備え、
前記軸受部は、前記接触部が接触した状態で前記開閉板がさらに開動作されると、前記支軸から離隔するように構成され、
前記開閉板は、前記開閉板の開動作の量に応じて回転支点が前記支軸から前記接触部の接触箇所へ切り換わり、
前記付勢部材による前記開閉板への係合が、前記接触箇所を回転支点とする前記開閉板の開動作が所定角度を超えると解除されることを特徴とするメダル選別装置。
【請求項３】
前記基板および開閉板には、前記接触部が間隔を開けて複数設けられていることを特徴とする請求項１又は２に記載のメダル選別装置。
【発明の詳細な説明】
【技術分野】
【０００１】
本発明は、例えばスロットマシンなどの遊技機に備えられるメダル選別装置に関する。
【背景技術】
【０００２】
従来、スロットマシンの投入口の内方には、メダルの真偽選別と投入枚数を計数するためのメダル選別装置が内蔵されている。メダル選別装置は、メダル選別装置の本体をなす基板に開閉板が開閉自在に対設された構造を有する。開閉板は、バネの付勢力で常時基板側に付勢されており、基板と開閉板との対向面間にメダル通路が形成されている（例えば、特許文献１）。
【０００３】
ところで、このようなメダル選別装置においては、メダル通路を大量のメダルが通過するため、メンテナンスとして定期的な清掃を実施している。清掃を行うには、開閉板を開く必要があるが、メダル選別装置の構造上、あるいはメダル選別装置が取り付けられている遊技機側の事情により、開閉板を清掃に足る程度に開けないことがある。その場合は、開閉板を基板から取り外すことが必要となる。
【先行技術文献】
【特許文献】
【０００４】
【特許文献１】特開２００６−０７２６８７号公報（２００６年０３月１６日公開）
【発明の概要】
【発明が解決しようとする課題】
【０００５】
しかしながら、従来構成では、開閉板を開くことは比較的容易に行えるが、開閉板の取り外しは容易には行えず、メンテナンス性に劣るといった問題がある。
【０００６】
つまり、従来構成において、開閉板を基板から取り外すには、開閉板を付勢しているバネに設けられた、基板との係合を解除するための解除片を押すなどしてバネをその弾性力に抗して変形させ、バネと基板との係合を解除する必要がある。しかしながら、従来構成では、解除片が基板の裏面側に設けられており、メダル選別装置が遊技機に設置されている状態ではアクセスすることが難しい。そのため、従来構成において、開閉板を外すには、一旦、メダル選別装置を遊技機から取り外す必要があった。そして、当然のことながら、清掃後は、開閉板を基板に取り付け、その後、さらにメダル選別装置を遊技機へ取り付けるといった作業が必要となり、甚だ非効率であった。
【０００７】
本発明は、上記課題に鑑みなされたもので、その目的は、遊技機に設置された状態で、開閉板を基板から容易に着脱させることができるメンテナンス性に優れたメダル選別装置を提供することにある。
【課題を解決するための手段】
【０００８】
上記の課題を解決するために、本発明のメダル選別装置は、基板と該基板に対して開閉自在かつ着脱可能に設けられた開閉板とを備えたメダル選別装置であって、前記開閉板を前記基板に対して回転可能とする支軸および軸受部と、前記基板あるいは前記開閉板に係合して、前記開閉板を前記基板側に付勢すると共に前記開閉板と前記基板とを連結させる付勢部材と、前記基板および前記開閉板にそれぞれ形成された、前記支軸を回転支点とする前記開閉板の開動作に伴い互いに接触する接触部と、を備え、前記軸受部は、前記接触部が互いに接触した状態で前記開閉板がさらに開動作されると、前記支軸から離隔するように構成され、前記開閉板は、前記開閉板の開動作の量に応じて回転支点が前記支軸から前記接触部の接触箇所へ切り換わり、前記付勢部材による係合が、前記接触箇所を回転支点とする前記開閉板の開動作が所定角度を超えると解除されることを特徴としている。
【０００９】
上記構成によれば、開閉板は、開閉板および基板にそれぞれ形成された接触部が接触するまでは支軸を中心に開動作する。開閉板の開動作にて、やがて、開閉板および基板にそれぞれ設けられた接触部が互いに接触する。軸受部は、接触部が接触した状態で開閉板がさらに開動作されると、支軸から離隔するように構成されている。そのため、接触部が接触して以降は、開閉板の回転支点が、支軸から接触部の接触箇所へと切り換わり、開閉板は、接触部の接触箇所を回転支点として開動作する。そして、接触箇所を回転支点とした開閉板の開動作が所定角度を超えると、付勢部材による開閉板への係合が解除され、開閉板が基板から外れることとなる。つまり、開閉板を開く操作によって、開閉板を容易に取り外すことが可能となる。
【００１０】
本発明のメダル選別装置は、また、基板と、該基板に対して開閉自在かつ着脱可能に設けられた開閉板とを備えたメダル選別装置であって、前記基板に設けられた支軸および前記開閉板に設けられた軸受部と、前記基板に取り付けられ、前記開閉板に係合して該開閉板を前記基板側に付勢すると共に前記基板に連結させる付勢部材と、前記基板および開閉板にそれぞれ形成され、前記支軸を回転支点とする前記開閉板の開動作に伴い互いに接触する接触部と、を備え、前記軸受部は、前記接触部が接触した状態で前記開閉板がさらに開動作されると、前記支軸から離隔するように構成され、前記開閉板は、前記開閉板の開動作の量に応じて回転支点が前記支軸から前記接触部の接触箇所へ切り換わり、前記付勢部材による前記開閉板への係合が、前記接触箇所を回転支点とする前記開閉板の開動作が所定角度を超えると解除されることを特徴としている。
【００１１】
上記構成においも、先に説明したメダル選別装置と同様に、開閉板を開く操作によって、開閉板を容易に取り外すことが可能となる。
【００１２】
また、本発明のメダル選別装置においては、さらに、前記基板および開閉板には、前記接触部が間隔を開けて複数設けられている構成とすることが好ましい。
【００１３】
上述したように、接触部は、開閉板の新たな回転支点となるため、間隔を開けて複数設けることで、安定した回転支点となることができる。
【発明の効果】
【００１４】
本発明によれば、遊技機に設置された状態で、開閉板を基板から容易に着脱させることができるメンテナンス性に優れたメダル選別装置を提供できるという効果を奏する。
【図面の簡単な説明】
【００１５】
【図１】本実施の形態のメダルセレクタを備えたスロットマシンの外観斜視図である。
【図２】上記スロットマシンの前面扉を片開き式に開口した内部構造を示す斜視図である。
【図３】上記メダルセレクタの正面側を示す外観斜視図である。
【図４】上記メダルセレクタの正面図である。
【図５】上記メダルセレクタの背面側を示す外観斜視図である。
【図６】上記メダルセレクタの背面図である。
【図７】上記メダルセレクタの基板の内側の面を示す斜視図である。
【図８】上記メダルセレクタの開閉板の内側の面を示す斜視図である。
【図９】上記メダルセレクタの開閉板が閉じた通常の状態の要部の断面を示す図面であり、（ａ）は図４のＡ−Ａ線矢視断面図、（ｂ）は図４のＢ−Ｂ線矢視断面図、（ｃ）は図４のＣ−Ｃ線矢視断面図である。
【図１０】上記メダルセレクタにおける、開閉板が図９に示す閉じた状態から少し開かれた状態の要部の断面図である。
【図１１】上記メダルセレクタにおける、開閉板が図１０に示す状態よりもさらに開かれた状態の要部の断面図である。
【図１２】上記メダルセレクタにおける、開閉板が図１１に示す状態よりもさらに開かれた、コイルバネの係合が外れる直前の状態の要部の断面図である。
【図１３】上記メダルセレクタにおける、開閉板が図１２に示す状態よりもさらに開かれて、コイルバネの係合が外れた直後の状態の要部の断面図である。
【図１４】上記メダルセレクタにおける、開閉板が図１２示す状態から下方に抜け落ち、開閉板が基板から完全に外れた状態の要部の断面図であり、
【図１５】上記メダルセレクタにおける、開閉板を基板に取り付ける際の最初の段階を示す要部の断面図である。
【図１６】上記メダルセレクタにおける、図１５の次の段階を示す要部の断面図である。
【図１７】上記メダルセレクタにおける、図１６の次の段階を示す要部の断面図である。
【発明を実施するための形態】
【００１６】
以下、本発明の実施の形態について、詳細に説明する。本実施の形態では、遊技機の一例として、遊技ホールに設置されるスロットマシンを示す。
【００１７】
図１は、本実施の形態のメダル選別装置としてのメダルセレクタ１を備えたスロットマシン１１の外観斜視図である。図２はスロットマシン１１の前面扉１１ａを片開き式に開口した内部構造を示す斜視図である。
【００１８】
図１に示すように、スロットマシン１１には、接客対応される前面上部にパネル１２とリール部１３とが設けられ、前面中央に３個のストップボタン１４が設けられている。また、前面左側にはスタートレバー１５と掛け数設定ボタン１６ａと精算ボタン１６ｂとが設けられ、前面右側にはイジェクトボタン１７とメダルＭを１枚ずつ投入するための投入口１８とが設けられ、前面下部には、メダルＭを受ける受皿１９が設けられている。
【００１９】
図２に示すように、スロットマシン１１の前面扉１１ａの内側には、上部より下部にかけてリールカバー２４と、メダルの適否を選別するメダルセレクタ１と、メダル払出シュート２６と、返却口２７とが、この順に設けられている。一方、スロットマシン本体１１ｂの内部空間上部には、メダルセレクタ１の信号を処理し、またスロットマシン１１の各部を制御する制御部１１ｃが設置されている。内部空間中央部には、外周面の絵柄の位置を回転・停止して遊技利用させる３列のリール部１３が設置され、内部空間下部には、メダルの取り込み・払い出し用のメダル払出装置２１、電源装置２２、オーバフロータンク２３が設置されている。
【００２０】
遊技者は、スロットマシン１１を遊技利用するとき、投入口１８（図１参照）にメダルＭを１枚ずつ投入する。投入口１８に投入されたメダルＭは、一旦メダルセレクタ１（図２参照）に導かれ、ここで適否が選別される。メダルセレクタ１で受付が許可されたメダルＭは、メダルセレクタ１の出口に接続されているメダル搬送通路２５ａを介してメダル払出装置２１の上部に備えられているホッパタンク２１ａ（図２参照）に受入れられる。一方、メダルセレクタ１で受付が拒否されたメダルＭは、メダル払出シュート２６および返却口２７を介して受皿１９（図１参照）へと返却される。なお、メダルセレクタ１で受付が拒否されたメダルＭ以外に、所定枚数を超えて投入された余剰のメダルＭや、リール回転中やクレジット精算中、電源ＯＦＦ時などに投入されたメダルＭも、メダル払出シュート２６および返却口２７を介して受皿１９へと返却される。
【００２１】
精算ボタン１６ｂ（図１参照）は、遊技者がホッパタンク２１ａに貯留されているメダルＭの返却を要求するボタンである。遊技者が遊技を中止するために精算ボタン１６ｂを押すと、ホッパタンク２１ａに貯留されていたメダルＭが受皿１９へと返却される。
【００２２】
イジェクトボタン１７（図２参照）は、メダルセレクタ１からメダル通路内に詰まったメダルＭを排除させるためのボタンである。遊技者がイジェクトボタン１７を押すと、これに連動してメダルセレクタ１側のイジェクト部が開閉板２９（図３参照）を開き、詰まっていたメダルＭを排除する。排除されたメダルＭも受皿１９へと返却される。
【００２３】
次に、メダルセレクタ１の構成について説明する。図３はメダルセレクタ１の正面側を示す外観斜視図、図４はメダルセレクタ１の正面図である。図５はメダルセレクタ１の背面側を示す外観斜視図、図６はメダルセレクタ１の背面図である。また、図７はメダルセレクタ１の基板２８の内側の面を示す斜視図、図８はメダルセレクタ１の開閉板２９の内側の面を示す斜視図である。なお、以下において、基板２８および開閉板２９における互いに対向する側を内側と称し、その反対側を裏側と称する。
【００２４】
図３〜図６に示すように、メダルセレクタ１は、メダルセレクタ１の本体をなす平面視コの字状の基板２８と開閉板２９とが開閉自在に対設された構造を有する。これら基板２８と開閉板２９との対向面間に、メダルＭを自重により縦方向から横方向へと転動させて通過させるメダル通路３３が設けられている。開閉板２９は、開閉板２９に設けられた軸受部３１にて基板２８の上部に設けられた支軸３０を回転自在に支持することで、基板２８に対して開閉自在に構成されている。詳細については後述するが、開閉板２９は、コイルバネ（付勢部材）３２にて常時、基板２８側に付勢されると共に、基板２８に連結されている。
【００２５】
メダル通路３３は、図７に示すように、前述の投入口１８（図１参照）に接続対応する入口３４と下方の出口３５とを有するＬ字状に形成されている。メダル通路３３は、入口３４から下方に延びる縦辺部Ｌ１と、斜め下方に延びて出口３５に至る横辺部Ｌ２と、これら両辺部Ｌ１，Ｌ２を湾曲状に連通接続する湾曲部Ｌ３とを備えている。
【００２６】
基板２８には、図５、図６に示すように、基板２８の裏側に配設された支軸３６を支点として揺動可能な可動ガイド板３７が設けられている。可動ガイド板３７は、そのガイド部３８を基板２８の開口部３９からメダル通路３３の上部に臨設し、このガイド部３８でメダルＭの上端側を搬送方向にガイドするように構成されている（図４参照）。
【００２７】
さらに、可動ガイド板３７には、基板２８の裏側に位置する排出部材としてのブロッカー４０が一体に折り曲げ形成されている。ブロッカー４０は、図４に示すように、下端ブロック部４０ａをメダル通路３３下流側の開口部３３ａから該メダル通路３３に出没可能に構成されている。
【００２８】
また、基板２８の裏側には、図５、図６に示すように、ソレノイド４１で駆動される可動板４２が設けられ、この可動板４２の遊端４２ａが可動ガイド板３７の上端３７ａに対向して配置されている。
【００２９】
ソレノイド４１のＯＮ時、可動板４２の遊端４２ａで可動ガイド板３７の上端３７ａが押圧されて、そのガイド部３８でメダルＭの上端側を搬送ガイドすると共に、ブロッカー４０の下端ブロック部４０ａをメダル通路３３の開口部３３ａから裏面側に後退させ、有効と選別された正規のメダルはメダル払出装置２１へ搬送する一方、無効と選別された不適合の大きさのメダル類は開閉板２９の排出口２９ａから排出して、外部の返却口２７に返却するように構成されている（図４参照）。
【００３０】
ソレノイド４１のＯＦＦ時には、ガイド部３８によりメダルＭの上端側の搬送ガイドを解除すると共に、ブロッカー４０の下端ブロック部４０ａをメダル通路３３の開口部３３ａからメダル通路３３側へ突出させて、メダルＭの受入れを中止するよう構成されている（図４参照）。
【００３１】
また、メダル通路３３の横辺部Ｌ２は、該横辺部Ｌ２の上下に対設される可動ガイド板３７と通路の下面を形成する案内プレート３３ｂ（図７参照）との上下に平行する平行間隔により直径の小さなメダルを通路外に排除する外形選別を実施し、正規の大きさのメダルのみを通過させて計数するように構成されている。
【００３２】
これにより、出口３５からは遊技機専用に設けられた一定の大きさの円板形状を有する適正な大きさのメダルＭのみが受入れられる。この出口３５の直前部においてメダル通路３３を形成する基板２８の通路壁には、メダル通路３３の横辺部Ｌ２を通過するメダルＭを探知して計数するセンサ部（図示せず）が設けられている。
【００３３】
また、メダル通路３３の入口３４から下方に延びるメダル通路３３の縦辺部Ｌ１には、異物検知レバーセンサ４３が配設されている。異物検知レバーセンサ４３は、図５、図６に示すように、検知レバー（検知片）４４と、この検知レバー４４を付勢するコイルバネ４６と、そのレバーの動きを検知するセンサＳとを組合せて構成される。
【００３４】
検知レバー４４は、メダル通路３３の通路空間に向けてメダル通路３３の外部より付勢され、出没自在で常時突出している。具体的には、基板２８の裏側における縦辺部Ｌ１対応位置に水平に架設された支軸４７に検知レバー４４の上端部が軸支され、検知レバー４４の下側の先端部４４ａが、コイルバネ４６により縦辺部Ｌ１の壁面に設けられた開口窓４８よりメダル通路３３の通路空間に出没自在に突出付勢されている。
【００３５】
さらに、基板２８には、図５、図６に示すように、スロットマシン１１に設けられたイジェクトボタン１７に連動して開閉板２９を回転させて開閉板２９を開くイジェクト部（返却部）５０が設けられている。
【００３６】
次に、メダルセレクタ１における特徴的な構成について説明する。メダルセレクタ１においては、開閉板２９の回転支点として、基板２８とのなす角度が所定の角度に達するまでの第１の回転支点Ｐ１と、基板２８とのなす角度が上記所定の角度を超えた場合の第２の回転支点Ｐ２との２つを備え（図１１参照）、開閉板２９の回転量（開き量）に応じて、回転支点が第１の回転支点Ｐ１から第２の回転支点Ｐ２へと切り換わり、第２の回転支点Ｐ２で回転している途中で、コイルバネ３２が滑って係合が解除されることで、基板２８から外れるように構成されている。
【００３７】
図７に示すように、第１の回転支点Ｐ１となる支軸３０は、基板２８の内側の面の上部に突設された一対の支持部６０，６０に両側が固定され、ほぼ水平に配設されている。そして、該支軸３０に、開閉板２９を基板２８側へ付勢すると共に、開閉板２９と基板２８とを連結させる付勢部材としてのコイルバネ３２が巻回されている。
【００３８】
コイルバネ３２は、両端がバネ固定部６１の裏側の面に突き当てられた状態で、両側より巻回され、その中央部がバネ固定部６１を超えて該バネ固定部６１の表側に引き出されている。この引き出された部分は、一旦下方に向かってＬ字状に折曲され、先端側が斜め上方に向かってさらに折曲されている。下方に向かって折曲された部分が、開閉板２９の係合部６４（図３参照）と係合して、開閉板２９を基板２８に連結させる連結部３２ａを構成している。そして、斜め上方に向かって折曲された部分が、開閉板２９を連結させる際に開閉板２９に設けられた後述する摺動案内面６６（図８参照）に沿って、連結部３２ａの係合を助ける連結補助部３２ｂを構成している。
【００３９】
さらに、支持部６０，６０よりも上方の基板２８の上端面には、後述する開閉板２９側の突当部６３と接触する接触部としての受部６２が複数形成されている。受部６２と開閉板２９側の突当部６３とが接触することで、それらの接触箇所に第２の回転支点Ｐ２が形成される。受部６２は、基板２８の裏側から内側に向かって上方に傾斜した下向き面６２ａを有し、支軸３０の軸線方向に見て、その先端部が支軸３０よりも基板２８の内側に位置するように設けられている。
【００４０】
一方、図８に示すように、開閉板２９の内側の面の上部には、基板２８側の支軸３０を回転自在に支持する軸受部３１が一対設けられている。各軸受部３１は、突当部６３と受部６２が接触した状態で開閉板２９がさらに開動作されると、支軸３０から離隔するように構成されている。具体的には、各軸受部３１は、その先端部に支軸３０を摺動自在に担持する軸摺動部３１ａが形成されている。軸摺動部３１ａの下端側は、支軸３０を深く担持できるように突出している（参照符号３１ｂ）。これに対し、軸摺動部３１ａの上端側は、開閉板２９が第２の回転支点Ｐ２にて回転する際に、支軸３０を障壁とすることなく軸受部３１を下方へ逃がせるように開放されており、逃がし部３１ｃを構成している。逃がし部３１ｃが設けられることで、後述するように、軸受部３１は、開閉板２９が第２の回転支点Ｐ２による回転に伴い、支軸３０を障壁とすることなく下方に移動することができる。
【００４１】
また、開閉板２９における一対の軸受部３１，３１の間には、上述したコイルバネ３２の連結部３２ａが、開閉板２９の内側から裏面側へと回り込むための開口部６５が形成されている。そして、該開口部６５の下方には、開閉板２９の内側に、上述したコイルバネ３２の連結補助部３２ｂと同じ傾斜を有する摺動案内面６６が形成され、開閉板２９の外側に、上述したコイルバネ３２の連結部３２ａが係合する係合部６４（図３参照）が形成されている。摺動案内面６６は、開閉板２９における内側から裏側に向かって上方に傾斜している。
【００４２】
さらに、軸受部３１の軸摺動部３１ａよりも上方の開閉板２９の上端面には、上述した基板２８側の複数の受部６２と接触してその接触箇所に第２の回転支点Ｐ２を形成する複数の接触部としての突当部６３が形成されている。突当部６３は、開閉板２９における裏側から内側に向かって下方に傾斜した上向き面６３ａを有し、支軸３０の軸線方向に見て、軸摺動部３１ａよりも開閉板２９の裏側に配設されている。
【００４３】
このような構成を有するメダルセレクタ１は、開閉板２９側をやや下に向けた状態でスロットマシン１１に取り付けられる（図９（ｃ）参照）。
【００４４】
次に、上記構成を有するメダルセレクタ１における開閉板２９の開閉、取り外し、取り付けの各動作について説明する。図９〜図１４に、開閉板２９が基板２８から外れるまでの状態を段階的に示し、図１５〜図１７に、開閉板２９を基板２８に取り付けられるまでの状態を段階的に示す。
【００４５】
まず、図９〜図１４を用いて、開閉板２９の開閉および取り外しの動作を説明する。
【００４６】
図９は、メダルセレクタ１における、開閉板２９が閉じた通常の状態の要部の断面図であり、（ａ）は図４のＡ−Ａ線矢視断面図、（ｂ）は図４のＢ−Ｂ線矢視断面図、（ｃ）は図４のＣ−Ｃ線矢視断面図である。
【００４７】
図９の（ａ）（ｂ）に示すように、開閉板２９が閉じた状態では、開閉板２９側の軸受部３１の軸摺動部３１ａに、基板２８側の支軸３０が回転自在に支持されている。この状態で、開閉板２９が開かれると、開閉板２９は、支軸３０を中心とした第１の回転支点Ｐ１にて回転する。
【００４８】
また、図９の（ｃ）に示すように、開閉板２９が閉じた状態では、コイルバネ３２の連結部３２ａが、開閉板２９に形成された開口部６５を通って開閉板２９の裏側（正面側）の係合部６４に係合している。これにより、開閉板２９は基板２８に連結されると共に、常時、基板２８側に付勢され、開閉板２９と基板２８との対向面間に、上述したメダル通路３３が形成される。
【００４９】
図１０は、メダルセレクタ１における、開閉板２９が図９に示す閉じた状態から少し開かれた状態の要部の断面図であり、開閉板２９が開かれている点で異なるが、（ａ）は図４のＡ−Ａ線矢視断面図に相当し、（ｂ）は図４のＣ−Ｃ線矢視断面図に相当する。
【００５０】
図１０の（ａ）（ｂ）に示すように、閉じた状態から開閉板２９を開くと、開閉板２９側の突当部６３が基板２８側の受部６２に接触するまでは、開閉板２９は、支軸３０を中心とした第１の回転支点Ｐ１にて回転する。ここで、開閉板２９の開く方向は、コイルバネ３２の付勢力に抗う方向であり、開閉板２９の開動作に伴いコイルバネ３２は弾性変形する。この段階で、開閉板２９を開く力を解除すると、開閉板２９はコイルバネ３２の復元力によって閉じる。
【００５１】
図１１は、メダルセレクタ１における、開閉板２９が図１０に示す状態よりもさらに開かれた状態の要部の断面図であり、開閉板２９が開かれている点で異なるが、（ａ）は図４のＡ−Ａ線矢視断面図に相当し、（ｂ）は図４のＣ−Ｃ線矢視断面図に相当する。
【００５２】
図１１の（ａ）（ｂ）に示すように、開閉板２９をさらに開いて、開閉板２９側の突当部６３が基板２８側の受部６２に接触すると、開閉板２９の回転支点が、支軸３０を中心とした第１の回転支点Ｐ１から、突当部６３と受部６２との接触箇所である第２の回転支点Ｐ２に切り換わる。突当部６３と受部６２とを間隔を開けて複数設けたことで、安定した回転支点Ｐ２となる。この段階でも、開閉板２９を開く力を解除すると、開閉板２９は、コイルバネ３２の復元力によって閉じる。
【００５３】
図１２は、メダルセレクタ１における、開閉板２９が図１１に示す状態よりもさらに開かれた、コイルバネ３２の係合が外れる直前の状態の要部の断面図であり、開閉板２９が開かれている点で異なるが、（ａ）は図４のＡ−Ａ線矢視断面図に相当し、（ｂ）は図４のＣ−Ｃ線矢視断面図に相当する。
【００５４】
図１２の（ａ）（ｂ）に示すように、開閉板２９の回転支点が第１の回転支点Ｐ１から第２の回転支点Ｐ２に切り換わった後に、開閉板２９をさらに開くと、開閉板２９は第２の回転支点Ｐ２にて回転する。軸受部３１は、支軸３０から離れて下方に移動するが、逃がし部３１ｃが設けられていることで、支軸３０を障壁とすることなく移動できる。また、コイルバネ３２には、付勢力に抗う力がさらに加わるため、その連結部３２ａが徐々に上方に向かって滑るように移動する。この段階でも、開閉板２９を開く力を解除すると、コイルバネ３２の復元力にて、開閉板２９は自ずと閉じる。
【００５５】
図１３は、メダルセレクタ１における、開閉板２９が図１２に示す状態よりもさらに開かれて、コイルバネ３２の係合が外れた直後の状態の要部の断面図であり、開閉板２９が開かれている点で異なるが、（ａ）は図４のＡ−Ａ線矢視断面図に相当し、（ｂ）は図４のＣ−Ｃ線矢視断面図に相当する。
【００５６】
図１３の（ａ）（ｂ）に示すように、軸受部３１が支軸３０から離れて下方に移動した状態で、開閉板２９をさらに開くと、コイルバネ３２がさらに上方に滑り、連結部３２ａの下端が開閉板２９の開口部６５の下端に至り、弾性変形したコイルバネ３２の復元力で、連結部３２ａが開閉板２９の内側に引き戻される。その結果、開閉板２９と基板２８との連結が解除され、開閉板２９は下方に落下するように外れる。
【００５７】
図１４は、メダルセレクタ１における、開閉板２９が図１３示す状態から下方に抜け落ち、開閉板２９が基板２８から完全に外れた状態の要部の断面図であり、開閉板２９が開かれている点で異なるが、（ａ）は図４のＡ−Ａ線矢視断面図に相当し、（ｂ）は図４のＣ−Ｃ線矢視断面図に相当する。
【００５８】
図１４の（ａ）（ｂ）に示すように、下方に落下するように外れることで、開閉板２９は基板２８から完全に分離される。
【００５９】
続いて、図１５〜図１７を用いて、開閉板２９の取り付け動作を説明する。
【００６０】
図１５は、メダルセレクタ１における、開閉板２９を基板２８に取り付ける際の最初の段階を示す要部の断面図である。図１６は、メダルセレクタ１における、図１５の次の段階を示す要部の断面図、図１７は、メダルセレクタ１における、図１６の次の段階を示す要部の断面図である。開閉板２９が外れている点で異なるが、これらは何れも、図４のＣ−Ｃ線矢視断面図に相当する。
【００６１】
図１５に示すように、基板２８に設けられたコイルバネ３２の連結補助部３２ｂを開閉板２９に設けられた摺動案内面６６に沿わせる。この状態で、開閉板２９を閉じる方向に押し込むと、図１６に示すように、連結補助部３２ｂと連結部３２ａとの間の折曲部分が摺動案内面６６と接触し、コイルバネ３２が弾性変形する。この状態で、さらに開閉板２９を押し込むと、前記折曲部分が摺動案内面６６を摺動して、図１７に示すように、連結部３２ａが開口部６５を抜ける。連結部３２ａが開口部６５を抜けると、その復元力で連結部３２ａが下方に滑り落ち、開閉板２９の裏側の係合部６４と係合する。これにより、開閉板２９が再び基板２８に連結される。
【００６２】
なお、本実施の形態では、開閉板２９に軸受部３１が設けられる一方、基板２８に支軸３０が設けられ、基板２８側に固定されたコイルバネ３２にて開閉板２９を基板２８側に付勢した構成としていたが、開閉板２９に支軸３０が設けられる一方、基板２８に軸受部３１が設けられ、開閉板２９側に固定されたコイルバネ３２にて開閉板２９を基板２８側に付勢した構成としてもよい。
【産業上の利用可能性】
【００６３】
本発明は、基板に開閉板が開閉自在に対設され、基板と開閉板との対向面間にメダル通路が形成されているメダル選別装置に適用することができる。
【符号の説明】
【００６４】
１    メダルセレクタ（メダル選別装置）
１１    スロットマシン（遊技機）
３０  支軸
３１  軸受部
３２  コイルバネ（付勢部材）
３２ａ  連結部
３２ｂ  連結補助部
３３  メダル通路
６０，６０  支持部
６１  バネ固定部
６２  受部（接触部）
６３  突当部（接触部）
６４  係合部
６５  開口部
６６  摺動案内面
【図１】
0006384347.tif 000002
【図２】
0006384347.tif 000003
【図３】
0006384347.tif 000004
【図４】
0006384347.tif 000005
【図５】
0006384347.tif 000006
【図６】
0006384347.tif 000007
【図７】
0006384347.tif 000008
【図８】
0006384347.tif 000009
【図９】
0006384347.tif 000010
【図１０】
0006384347.tif 000011
【図１１】
0006384347.tif 000012
【図１２】
0006384347.tif 000013
【図１３】
0006384347.tif 000014
【図１４】
0006384347.tif 000015
【図１５】
0006384347.tif 000016
【図１６】
0006384347.tif 000017
【図１７】
0006384347.tif 000018